(57)【要約】【課題】本発明は、手拭等の布体を用いて簡単に製作及び解体が可能で容易に着用することができる防災頭巾を提供することを目的とする。【解決手段】本発明に係る防災頭巾は、横長で矩形状の布体１ａ〜１ｃを重ね合せて構成された頭巾本体１と、頭巾本体１の一方の側の長辺部に外方に突出するように取り付けられた係止片２と、係止片２が取り付けられた長辺部以外の周縁を縫合して布体１ｂ及び１ｃの間に形成された収納部４〜６と、係止片２に取り付けられるとともに伸縮可能な素材からなるリング状の紐体３とを備えており、係止片２を利用者の頭部の後側に配置して紐体３を前側に引き伸ばすように拡げて利用者の首部の周囲に掛け止めて着用する。【選択図】図１
2017035134.tif 000002
【特許請求の範囲】
【請求項１】
横長で矩形状の布体を複数枚重ね合せて構成された頭巾本体と、前記頭巾本体の一方の側の長辺部に外方に突出するように取り付けられた係止片と、前記係止片が取り付けられた長辺部以外の周縁を縫合して前記布体の間に形成された複数の収納部と、前記係止片に取り付けられるとともに伸縮可能な素材からなるリング状の紐体とを備え、前記係止片を利用者の頭部の後側に配置して前記紐体を前側に引き伸ばすように拡げて利用者の首部の周囲に掛け止めて着用する防災頭巾。
【請求項２】
前記係止片は、前記長辺部の中央位置に取り付けられている請求項１に記載の防災頭巾。
【請求項３】
前記収納部は、長辺方向の長さを４等分する３本の仮想の線のうち中央以外の両側の仮想線に沿って前記布体を縫合することで形成されている請求項１又は２に記載の防災頭巾。
【発明の詳細な説明】
【技術分野】
【０００１】
本発明は、震災等の災害時に緊急避難する際に頭部に着用する防災頭巾に関する。
【背景技術】
【０００２】
従来より震災等の災害が発生した場合に、建造物が破壊されて頭上に落下する瓦礫や破片から身を守るために、頭部を覆うように着用する防災頭巾が用いられている。こうした防災頭巾では、瓦礫等の落下物から頭部を保護するとともに、コンパクトに収納可能で速やかに着用できることが求められることから、主に布製のものが実用化されている。
【０００３】
近年、震災や豪雨災害等の避難が必要な災害が増加しており、避難の際には、貴重品類、救急用品、生活必需品等の物品をすぐ持ち出せるように、リュック等の非常袋に詰め込んで準備することが推奨されている。こうした避難の際に必要となる物品を防災頭巾に予め収容しておき、防災頭巾とともにすぐ持ち出せるようにして避難の際の利便性を高めることが提案されている。
【０００４】
例えば、特許文献１では、繊維生地を二つ折りにし平袋状に形成して頭巾本体とし、二つ折りした内部に収納ポケットを取り付けて物品を収容可能に構成した点防災頭巾が記載されている。また、特許文献２では、薄手の布からなる頭巾本体とタオル地からなる内布からなる防災頭巾が記載されており、取り外した内布をタオルや包帯として活用する点が記載されている。また、特許文献３では、難燃性の用布で平面上に展開可能な頭巾本体に、装着時に頭頂部、側頭部及び肩部に対応する部分に収納部を形成した点が記載されている。
【先行技術文献】
【特許文献】
【０００５】
【特許文献１】登録実用新案第３０２１２５１号公報
【特許文献２】登録実用新案第３１４３８２５号公報
【特許文献３】特開２０１１−２０８３２２号公報
【発明の概要】
【発明が解決しようとする課題】
【０００６】
上述した特許文献に記載された防災頭巾では、頭巾本体に収納部を形成することで、避難の際に様々な物品を収納して一緒に持ち出すことができるものの、頭部に装着する際に紐を結ぶ必要があり、緊急時にすぐ装着することが難しく、特に高齢者や幼児に対して装着するのに時間がかかるおそれがある。
【０００７】
また、従来の防災頭巾は頭部の保護や物品の収納といった用途以外に使用することが想定されていないため、避難した後に十分活用されていないといった課題がある。
【０００８】
そこで、本発明は、手拭等の布体を用いて簡単に製作及び解体が可能で容易に着用することができる防災頭巾を提供することを目的とする。
【課題を解決するための手段】
【０００９】
本発明に係る防災頭巾は、横長で矩形状の布体を複数枚重ね合せて構成された頭巾本体と、前記頭巾本体の一方の側の長辺部に外方に突出するように取り付けられた係止片と、前記係止片が取り付けられた長辺部以外の周縁を縫合して前記布体の間に形成された複数の収納部と、前記係止片に取り付けられるとともに伸縮可能な素材からなるリング状の紐体とを備え、前記係止片を利用者の頭部の後側に配置して前記紐体を前側に引き伸ばすように拡げて利用者の首部の周囲に掛け止めて着用する。さらに、前記係止片は、前記長辺部の中央位置に取り付けられている。さらに、前記収納部は、長辺方向の長さを４等分する３本の仮想の線のうち中央以外の両側の仮想線に沿って前記布体を縫合することで形成されている。
【発明の効果】
【００１０】
本発明に係る防災頭巾は、上記のような構成を有することで、手拭等の布体を用いて簡単に製作及び解体が可能で容易に着用することができる。
【図面の簡単な説明】
【００１１】
【図１】本発明に係る防災頭巾に実施形態に関する斜視図である。
【図２】防災頭巾の製作過程を示す説明図である。
【図３】防災頭巾を折り畳んだ状態を示す説明図である。
【図４】防災頭巾を着用する場合の説明図である。
【図５】防災頭巾の着用状態に関する前側外観図及び後側外観図である。
【発明を実施するための形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る防災頭巾の実施形態に関する斜視図である。図１では、上面側が装着時に内側となり、下面側が外側となる。頭巾本体１は、横長で矩形状の３枚の外側布体１ａ、中間布体１ｂ及び内側布体１ｃを重ねて縫合することで構成されている。３枚の布体はほぼ同じ形状に形成された手拭、タオルといった既製品を使用することができる。外側布体１ａは、平織の手拭を用いることが好ましく、中間布体１ｂ及び内側布体１ｃは、パイル地のタオルを用いることが好ましい。中間布体１ｂには、内側布体１ｃよりも厚手の布体を用いるとよく、後述するように、係止片２を容易に外れないようにしっかりと縫い付けることができる。また、内側布体１ｃには、薄手の布体を用いることで、複数種類の布体を使用可能とすることができ、内側布体１ｃには、利用者の住所、氏名、血液型等を記載する欄を予めプリントしておくこともできる。
【００１４】
このように、頭巾本体に手拭やタオル用いることで、頭巾本体を解体すれば、すぐに手拭やタオルとして使用することができ、避難先でも頭巾本体を別の用途に活用することが可能となる。また、外側布体として手拭を使用することで、利用者が好みの図柄を選択することができるとともに、遠方からも防災頭巾を個別に容易に認識できるようになる。また、中間布体１ｂ及び内側布体１ｃにタオルを用いることで、クッション性や肌触りがよくなって着用感を向上させることができる。
【００１５】
なお、頭巾本体は、横長で矩形状の布体を複数枚重ね合せて収納部を構成することが可能であれば、３枚以外の枚数を重ね合せてもよい。例えば、４枚以上とすることで、収納部を増やして強度を高めることができる。
【００１６】
頭巾本体１の一方の側の長辺部には、中央位置において帯状体を折り返してリング状に縫着された係止片２が外方に突出するように設けられている。係止片２は、中間布体１ｂに縫い付けた後中間布体１ｂを外側布体１ａに縫着することで、容易に外れないようにしっかりと取り付けることができ、後述するように、着用時に収納部の開口を封止するように機能する。係止片２は、利用者の氏名等が表示できる程度の幅に設定されており、頭巾本体１に用いられる布地よりも高強度で伸縮しにくい素材を使用することが好ましい。係止片２には、ゴム紐等の伸縮可能な素材からなるリング状の紐体３が挿通されて係合している。なお、係止片２は、外方に突出するように設けられて紐体３を取り付けられるように構成されていればよく、例えば、帯状体の一方の端部を頭巾本体１に縫着して他方の端部に紐体３を縫着するようにしてもよい。
【００１７】
頭巾本体１には、係止片２が取り付けられた長辺部以外の辺部について、３枚の布体を重ね合せた状態で周縁を縫合して縫着ライン１０が形成されており、長辺方向の長さを４等分する３本の仮想の線のうち中央以外の両側の仮想線に沿って３枚の布体を縫合して縫着ライン１１及び１２が形成されている。係止片２が取り付けられた長辺部には、外側布体１ａ及び中間布体１ｂを重ね合せた状態で周縁を縫合して縫着ライン１３が形成されており、縫着ライン１３により縫合されていない内側布体１ｃが中間布体１ｂとの間で開口部が形成されて物品を収納可能となっている。そのため、縫着ライン１０及び１１の間に収納部４が形成され、縫着ライン１０、１１及び１２の間に収納部５が形成され、縫着ライン１０及び１２の間に収納部６が形成されている。そして、収納部５の長辺方向の長さは、収納部４及び６の長さの２倍となるように設定されている。
【００１８】
収納部５は、後述するように、装着時に頭部を覆う部分となるので、アルミシート、風呂敷、下着、紙おむつ、シート状の使い捨てカイロ、ウェットティッシュといった薄く折り畳めてクッション性及び耐水性を有する物品を収納するとよい。装着時に両肩部を覆う部分となる収納部４及び６には、マスク、簡易スリッパ、救急グッズ、軍手等のすぐ取り出して使用することができる物品を収納しておくとよい。
【００１９】
なお、各収納部の大きさは、収納する物品のサイズに応じて縫着ラインを設定することで、簡単にサイズ変更することができる。すなわち、収納部を画定する縫着ライン１１及び１２は、収納する物品に合わせて縫着位置を適宜変更することができ、収納する物品に応じて収納部の数を３以上に設定することも可能である。
【００２０】
図２は、防災頭巾の製作過程を示す説明図である。まず、中間布体１ｂを拡げて一方の側の長辺部の中央位置に帯状体を折り返して重ね合せた両端部を配置し、返し縫い等で係止片２をしっかりと縫着する（図２（ａ））。次に、外側布体１ａの上面に中間布体１ｂを重ね合わせ（図２（ｂ））、係止片２を取り付けた長辺部の周縁に沿って両布体を縫合して縫着ライン１３を形成する（図２（ｃ））。縫着ライン１３は、縫い始めを丸結びとして外側に露出させ平縫い等で縫合することで、丸結びを引きちぎって糸を引き抜けば容易に解体することができるようになる。次に、内側布体１ｃを中間布体１ｂの上面に重ね合せ（図２（ｄ））、係止片２を取り付けた長辺部以外の３辺部の周縁に沿って３枚の布体を縫合して縫着ライン１０を形成し、さらに長辺方向の長さを４等分する３本の仮想線の中央以外の両側の仮想線に沿って縫合して縫着ライン１１及び１２を形成する。この場合、縫着ライン１０〜１２は、縫い始めを丸結びとして外側に露出させ平縫い等で縫合しているので、頭巾本体を容易に製作可能であるとともに３枚の布体に容易に解体することができるようになる。なお、縫着ラインは、表側から平縫いした後続けて裏側から平縫いして強度を高めることもできる。
【００２１】
図３は、防災頭巾を折り畳んだ状態を示す説明図である。まず、頭巾本体１を中央位置で二つ折りに折り畳み（図３（ａ））、さらに二つ折りして四つ折りに折り畳む（図３（ｂ））。そして、紐体３を引き伸ばして折り畳んだ頭巾本体１に幅方向に掛け止めるようにする（図３（ｃ））。このように折り畳むことで、頭巾本体１を容易にコンパクトにすることができ、収納部４〜６の開口部分が紐体３により閉止されるようになって、収納した物品が不用意に外に出ることが防止される。収納した物品は紐体３の弾性力により常時押圧された状態となるため、安定した状態で収納されるようになる。そして、係止片２が紐体３により引張られた状態で保持されるため、係止片２の名前を記載した面が表出した状態となり、誰の防災頭巾か一目で認識することができるようになる。
【００２２】
また、防災頭巾をこうしたコンパクトな状態にすることで、座布団、枕等に兼用することができ、さらに、紐体３を頭巾本体１から簡単に外して拡げることが可能で、拡げた状態でひざ掛け、肩掛け、敷布団等に使用することもでき、避難先において様々な用途に使用することができる。そして、平縫いされた縫着ラインを解くことで、手拭やタオルとして使用することができ、非常時において必要とされる幅広い用途に対応することが可能である。
【００２３】
図４は、防災頭巾を着用する場合の説明図である。四つ折りに折り畳んだ頭巾本体１を取り出し（図４（ａ））、二つ折りの状態に拡げる（図４（ｂ））。そして、収納部４及び６を拡げて利用者の頭部の上に配置して紐体３を引き伸ばして拡げながら収納部５で頭部を覆うように被る（図４（ｃ））。その際に、係止片２が頭部の後側に配置されるようにする。そして、後側の紐体３を頭部の上方から頭部を囲むように引き下げて首部の周囲に掛け止めるようにセットする（図４（ｄ））。したがって、着用の際に紐を結ぶといった作業を行うことなく幼児や高齢者に対しても容易に着用させることができ、迅速な避難につなげることが可能となる。
【００２４】
図５は、防災頭巾の着用状態に関する前側外観図（図５（ａ））及び後側外観図（図５（ｂ））である。着用状態では、係止片２が下方に引張られた状態となるとともに紐体３が首部に掛け止められているため、頭巾本体１が頭部に密着して覆うようになる。そして、頭巾本体１の後側が後頭部に引き集められた状態となり、頭巾本体全体が頭部にしっかりと密着した状態となって避難中において容易に外れることはなくなる。また、収納部４〜６の開口は、後側に配置されているが、後側では、係止片２が下方に引張られて収納部５の開口が封止されるようになり、収納部４及び６は、肩部に載置されて紐体３により首側に引き寄せられることで、開口が開きにくくなっている。そのため、各収納部内の物品は、外側に放出されることなく安定した状態で保持される。また、係止片２に表示された利用者の氏名等が外側に表出するようになり、係止片２が紐体３により下方に引張られた状態となっているため、避難中でも氏名等を明確に認識できるようになる。
【符号の説明】
【００２５】
１・・頭巾本体、１ａ・・・外側布体、１ｂ・・・中間布体、１ｃ・・・内側布体、２・・・係止片、３・・・紐体、４〜６・・・収納部
【図１】
2017035134.tif 000003
【図２】
2017035134.tif 000004
【図３】
2017035134.tif 000005
【図４】
2017035134.tif 000006
【図５】
2017035134.tif 000007